(57)【要約】【課題】押出ポンプに作用する押込操作力を適度に分散し、これにより容器の変形や破損を防止する。【解決手段】容器本体の天面１５と、当該天面の周縁コーナ部１５ａを介して下方に至る容器周壁１６とを含み、押出ポンプ２０を支持する口部１８を天面１５に備えた包装容器。記押出ポンプ２０は、係止キャップ２５を介して、口部１８に支持されている。応力分散中間部材３０は、周縁コーナ部１５ａに支持されるとともに、係止キャップの下端面２５ｂを支持する。これにより、押出ポンプに作用する押込操作力が分散されるので、応力の集中に起因した容器の変形や破損を防止できる。【選択図】図４
2008239211.tif 000002
【特許請求の範囲】
【請求項１】
容器本体の天面（１５）と、当該天面の周縁コーナ部（１５ａ）を介して下方に至る容器周壁（１６）とを含み、押出ポンプ（２０）を支持する口部（１８）を天面（１５）に備えた包装容器であって、
上記押出ポンプ（２０）は、係止キャップ（２５）を介して、口部（１８）に支持されていて、
上記周縁コーナ部（１５ａ）に支持されるとともに、係止キャップの下端面（２５ｂ）を支持する応力分散中間部材（３０）を備えることを特徴とする、包装容器。
【請求項２】
上記応力分散中間部材（３０）は、容器本体の天面（１５）に当接する当接支持部（３５）をさらに備える、請求項１記載の包装容器。
【発明の詳細な説明】
【技術分野】
【０００１】
本発明は、押出ポンプを備えた包装容器に関する。
【背景技術】
【０００２】
シャンプーや洗口液等を収容し、上部に設けた押出ポンプを操作して、収容物を取り出すように構成した包装容器は、従来から多数知られている。
【０００３】
図１は、特許文献１に開示された容器を示す斜視図である。この容器においては、四角柱状の容器本体の天面に係止用キャップＰＣを設け、この係止用キャップＰＣによりポンプＰを容器本体に固定している。
【０００４】
以上の構成を有する容器においては、ポンプＰが係止用キャップＰＣの一箇所においてのみ支持されているため、消費者がポンプＰを押し込む力が全てこの一箇所に集中する。そして、これが原因となって、容器天面５の凹み、容器本体６周壁の座屈等、容器に何らかの変形あるいは破損が生じることがある。
特に、容器本体が紙等の強度の強くない材料で構成され、容器が大容量で長期間使用される場合等には、その確率が高くなる。
【０００５】
【特許文献１】特開平１０−１４７３３５号公報
【発明の開示】
【発明が解決しようとする課題】
【０００６】
したがって、本発明の目的は、押出ポンプに作用する押込操作力を適度に分散し、これにより容器の変形や破損を防止することである。
【課題を解決するための手段】
【０００７】
本発明は、上記課題を有効に解決するために創案されたものであって、次の特徴を備えた包装容器を提供する。
本発明の包装容器は、「容器本体の天面」と「当該天面の周縁コーナ部を介して下方に至る容器周壁」とを含み、「押出ポンプを支持する口部」を天面に備える。押出ポンプは、係止キャップを介して、口部に支持されている。この包装容器は、「上記周縁コーナ部に支持されるとともに、係止キャップの下端面を支持する応力分散中間部材」を備える。
【発明の効果】
【０００８】
上記構成を備えた本発明の包装容器においては、応力分散中間部材が容器本体と係止キャップとの間に挿入され、係止キャップは、応力分散中間部材を介して、容器本体上に支持されることとなる。この応力分散中間部材が容器本体側の周縁コーナ部１５ａと接触しているため、消費者が押出ポンプを押し込む際に作用する押込操作力は、周縁コーナ部を介して均等に分散される。
したがって、応力が一箇所に集中することに起因した容器の変形や破損を有効に防止することができる。
【発明を実施するための最良の形態】
【０００９】
本発明の実施形態を添付の図面を参照して以下に詳細に説明する。図２は、一実施形態に係る包装容器１０を示す斜視図である。包装容器１０は、上部に押出ポンプ２０を備える。輸送および販売時にはポンプ２０は下がった状態にあるが（図２（ａ））、使用前にはポンプ上部を回転させて上がった状態とする（図２（ｂ））。この状態でポンプ２０を押し込むと、内容物が排出される。
【００１０】
図３は、包装容器１０の一部破断側面図であり、図４は、図３中に円“Ａ”で囲った部分の拡大断面図である。
【００１１】
≪容器全体の構成≫
容器１０は、筒状の周壁１６の上下を、天面１５および底壁１７で封止して構成されるもので、天面１５に、押出ポンプ２０を固定・支持するための口部１８を備えている。
天面１５はフラットな壁体であって、容器周壁１６は、天面の周縁コーナ部１５ａを介して下方に至る（図４）。
容器本体の材質は本発明において特に限定されるものではなく、紙、プラスチック等の適宜のものを採用可能である。
【００１２】
図示の例では、口部１８は、外ネジ１８ａを備えた筒体であって、底部に形成したフランジ部１８ｂを天面１５の内表面に接着することで、天面１５に固定されている。
【００１３】
押出ポンプ２０は、それ自体は一般的に知られた構成を有するもので、係止キャップ２５を介して、口部１８に固定・支持されている。係止キャップ２５は内面に内ネジ２５ａを有していて、当該内ネジ２５ａを口部の外ネジ１８ａに係合させることで、係止キャップ２５が口部１８に連結される。
【００１４】
≪応力分散中間部材≫
容器１０は応力分散中間部材３０を備えていて、押出ポンプ２０に作用する押出操作力は、この部材３０により分散される。
応力分散中間部材３０は、スカート状のベース部３１の上部中央に筒部３２を備えており、この筒部３２を容器本体の口部１８に外嵌させることで、容器に装着されている。スカート状のベース部３１の周縁は、コーナ部３３を介して、鍔部３４に至る（図４）。
【００１５】
応力分散中間部材３０は、コーナ部３３において容器本体の周縁コーナ部１５ａ上に支持されている。一方、応力分散中間部材３０の筒部３２は、ポンプ２０の係止キャップ下端面２５ｂを下方側から支えている。
すなわち、応力分散中間部材３０は、容器本体と係止キャップ２５との間に挿入され、係止キャップ２５は、応力分散中間部材３０を介して、容器本体（周縁コーナ部１５ａ）上に支持されている。
応力分散中間部材３０は、その全周に渡って延在するコーナ部３３において、容器本体側の周縁コーナ部１５ａと接触している。このため、消費者がポンプ２０を押し込む際に作用する押込操作力は、周縁コーナ部１５ａの全周を介して均等に分散される。
【００１６】
したがって、図１に示した従来例のように押込操作力が一箇所に集中することはなく、したがって、容器の変形あるいは破損を有効に防止できる。このような効果は、容器本体が紙等の強度の強くない材料で構成されている場合や、容器が大容量で長期間使用される場合等に顕著である。
【００１７】
≪当接支持部≫
図示した実施形態においては、応力分散中間部材３０の筒部３２の下面側から、下方に延在する当接支持部３５が設けられている。当接支持部３５は、筒状の部材であって、その先端が容器本体の天面１５に当接している。
上述した通り、押出ポンプ２０に作用する押込操作力はコーナ部３３を介して分散されるので、当接支持部３５は省略することも可能であるが、これを設けることで応力の分散度合いをさらに高めることができる。なお、当接支持部３５は、筒状でなくてもよく、例えば、離散して設けた複数の突起であってもよい。
【図面の簡単な説明】
【００１８】
【図１】従来の包装容器を示す斜視図。
【図２】本発明の一実施形態に係る包装容器を示す斜視図。
【図３】図２の包装容器の一部破断側面図。
【図４】図３の部分拡大図。
【符号の説明】
【００１９】
Ｐ  ポンプ
ＰＣ  係止用キャップ
５  容器天面
６  容器周壁
１０  包装容器
１５  天面
１５ａ  周縁コーナ部
１６  周壁
１７  底壁
１８  口部
１８ａ  外ネジ
１８ｂ  フランジ部
２０  押出ポンプ
２５  係止キャップ
２５ａ  内ネジ
２５ｂ  係止キャップの下端面
３０  応力分散中間部材
３１  ベース部
３２  筒部
３３  コーナ部
３４  鍔部
３５  当接支持部
【図１】
2008239211.tif 000003
【図２】
2008239211.tif 000004
【図３】
2008239211.tif 000005
【図４】
2008239211.tif 000006